(57)【要約】【課題】アンテナおよびスピーカを効率的に配置することができる電子機器を提供する。【解決手段】電子機器１０は、本体筐体１４と、アンテナ３２と、アンテナ３４と、高音スピーカ３６と、低音スピーカ３８と、本体筐体１４の内部に設けられるスピーカ・アンテナボックス３０とを有する。スピーカ・アンテナボックス３０は、アンテナ３２の一部、アンテナ３４の一部、高音スピーカ３６および低音スピーカ３８を含む。スピーカ・アンテナボックス３０の内部で、低音スピーカ３８はアンテナ３２とアンテナ３４との間に配置されアンテナ３２とアンテナ３４とを電磁的に遮断している。スピーカ・アンテナボックス３０はＬ字形状であって角部４０を含む箇所に設けられる。アンテナ３２は側壁２２ｂ，２２ｃに沿って設けられ、アンテナ３４は前壁２２ａに沿って設けられている。【選択図】図３
2020140406.tif 000002
【特許請求の範囲】
【請求項１】
筐体と、
前記筐体の内部に設けられるボックスと、
前記ボックスの一部の空間を用いて構成される第１スピーカと、
前記ボックスの外面上に形成される第１アンテナと、
前記ボックスの外面上に形成される第２アンテナと、
を備え、
前記ボックス内で、前記第１スピーカは前記第１アンテナと前記第２アンテナとの間に配置され、前記第１アンテナと前記第２アンテナとを電磁的に遮断していることを特徴とする電子機器。
【請求項２】
請求項１に記載の電子機器において、
前記筐体は扁平形状で、平面視で略矩形であり、
前記ボックスは平面視でＬ字形状であって前記筐体の角部を含む箇所に設けられ、
前記角部を形成する第１辺に沿って前記第１アンテナが設けられ、
前記角部を形成する第２辺に沿って前記第２アンテナが設けられていることを特徴とする電子機器。
【請求項３】
請求項１又は２に記載の電子機器において、
前記ボックスの一部の空間を用いて構成される高音出力用の第２スピーカをさらに備え、
前記第１スピーカは低音出力用であり、
前記ボックス内で、前記第１アンテナは前記第１スピーカと前記第２スピーカとの間に配置されていることを特徴とする電子機器。
【請求項４】
請求項１〜３のいずれか１項に記載の電子機器において、
前記ボックスの外面、前記第１アンテナおよび前記第２アンテナは前記筐体の外縁に沿って設けられ、
前記ボックスの内面には電磁波ノイズをシールド可能な材料で形成されたシールド部材が設けられていることを特徴とする電子機器。
【請求項５】
請求項１〜４のいずれか１項に記載の電子機器において、
前記筐体は、
平板と、
前記平板の端部と一体的に接続されており、内側に向かって傾斜する折返し板と、
を備え、
前記ボックスの一部は前記平板と前記折返し板との間の隅部に入り込んでいることを特徴とする電子機器。
【請求項６】
請求項１〜５のいずれか１項に記載の電子機器において、
前記筐体は、
前記筐体の一部を構成する平板と、
前記平板の端部と一体的に接続されており、内側に向かって傾斜する折返し板と、
前記第１アンテナまたは前記第２アンテナの一部であって、前記折返し板を含む箇所に設けられたアンテナ素子と、
を有し、
前記アンテナ素子の周囲は電波透過性材料で構成されていることを特徴とする電子機器。
【請求項７】
筐体と、
前記筐体の縁に設けられたスピーカと、
前記筐体の縁に設けられた第１アンテナと、
前記筐体の縁に設けられた第２アンテナと、
を備え、
前記スピーカは前記第１アンテナと前記第２アンテナとの間に配置され、前記第１アンテナと前記第２アンテナとを電磁的に遮断していることを特徴とする電子機器。
【請求項８】
筐体と、
前記筐体の一部を構成する平板と、
前記平板の端部と一体的に接続されており、内側に向かって傾斜する折返し板と、
前記折返し板を含む箇所に設けられたアンテナ素子と、
を有し、
前記アンテナ素子の周囲は電波透過性材料で構成されていることを特徴とする電子機器。
【請求項９】
請求項８に記載の電子機器において、
前記筐体の内部に設けられるボックスを備え、
前記ボックスは、
前記平板と前記折返し板との間の隅部に入り込む介挿部と、
前記介挿部に設けられた接続端子と、
を有し、
前記アンテナ素子と前記接続端子とは電気的に接続されていることを特徴とする電子機器。
【発明の詳細な説明】
【技術分野】
【０００１】
本発明は、アンテナおよびスピーカを備えた電子機器に関する。
【背景技術】
【０００２】
ノートブック型パーソナルコンピュータ（ノート型ＰＣ）のような電子機器は、ＷＷＡＮ（Ｗｉｒｅｌｅｓｓ  Ｗｉｄｅ  Ａｒｅａ  Ｎｅｔｗｏｒｋ）やＷＬＡＮ（Ｗｉｒｅｌｅｓｓ  Ｌｏｃａｌ  Ａｒｅａ  Ｎｅｔｗｏｒｋ）等の各種無線通信のアンテナを搭載している（例えば特許文献１参照）。さらに、このような電子機器は、音楽や音声等の出力用のスピーカを搭載している（例えば特許文献２参照）。
【０００３】
ノート型ＰＣは、マザーボードおよびキーボードなどを備えた本体筐体と、該本体筐体に対してヒンジにより開閉可能なディスプレイ筐体とを有する。ノート型ＰＣの場合、アンテナやスピーカはディスプレイ筐体に設けることがある。
【先行技術文献】
【特許文献】
【０００４】
【特許文献１】特開２０１３−１６２４１３号公報
【特許文献２】特開２０１４−１３９７０号公報
【発明の概要】
【発明が解決しようとする課題】
【０００５】
アンテナについてはＷＷＡＮ，ＷＬＡＮなど複数の通信用途に応じるため、例えば４つ以上が設けられることがある。各アンテナは干渉を避けるために相互の離間距離を確保することが望ましい。また、アンテナは、薄型化が容易である反面、電波透過性材料に面して配置される必要がある。さらに、アンテナは、安定したグランドや他の電子部品に対する安定した電磁波シールド性能を確保することが望ましい。
【０００６】
スピーカについては音声品質を考慮して高音用と低音用とが設けられることがあり、かつステレオ音声を再生するために左右に設けられることがある。つまりノート型ＰＣでは４つのスピーカが設けられる場合がある。このうち低音用のスピーカでは、バックチャンバとして機能する大きな空洞部を確保することが望ましい。
【０００７】
ところで、上記のような電子機器の筐体は、その小型化および薄型化が急速に進んでおり、特にノート型ＰＣの場合、いわゆる大画面化・ナローベゼル化によって枠体が狭くなりつつある。従ってアンテナやスピーカをディスプレイ筐体に設けることが困難になっており、これらを本体筐体に設けることが検討されている。
【０００８】
しかしながら、本体筐体についてもアンテナやスピーカを設けるための十分なスペースを確保することは難しく、特に複数のアンテナの離間距離を確保しながら、しかもスピーカのバックチャンバの空間部を確保するということは難しい。
【０００９】
また、アンテナが４つおよびスピーカが４つ設けられていると、ノート型ＰＣの製造組立工程においてその電気的接続が煩雑となる。
【００１０】
従って、上記のような電子機器では、アンテナおよびスピーカを筐体の内部で効率的に配置しつつ、通信品質や高い音質を確保できる構成が望まれている。
【００１１】
本発明は、上記従来技術の課題を考慮してなされたものであり、アンテナおよびスピーカを効率的に配置することができる電子機器を提供することを目的とする。
【課題を解決するための手段】
【００１２】
上述した課題を解決し、目的を達成するために、本発明の第１態様に係る電子機器は、筐体と、前記筐体の内部に設けられるボックスと、前記ボックスの一部の空間を用いて構成される第１スピーカと、前記ボックスの外面上に形成される第１アンテナと、前記ボックスの外面上に形成される第２アンテナと、を備え、前記ボックス内で、前記第１スピーカは前記第１アンテナと前記第２アンテナとの間に配置され、前記第１アンテナと前記第２アンテナとを電磁的に遮断している。
【００１３】
前記筐体は扁平形状で、平面視で略矩形であり、前記ボックスは平面視でＬ字形状であって前記筐体の角部を含む箇所に設けられ、前記角部を形成する第１辺に沿って前記第１アンテナが設けられ、前記角部を形成する第２辺に沿って前記第２アンテナが設けられていてもよい。
【００１４】
前記ボックスの一部の空間を用いて構成される高音出力用の第２スピーカをさらに備え、前記第１スピーカは低音出力用であり、前記ボックス内で、前記第１アンテナは前記第１スピーカと前記第２スピーカとの間に配置されていてもよい。
【００１５】
前記ボックスの外面、前記第１アンテナおよび前記第２アンテナは前記筐体の外縁に沿って設けられ、前記ボックスの内面には電磁波ノイズをシールド可能な材料で形成されたシールド部材が設けられていてもよい。
【００１６】
前記筐体は、平板と、前記平板の端部と一体的に接続されており、内側に向かって傾斜する折返し板と、を備え、前記ボックスの一部は前記平板と前記折返し板との間の隅部に入り込んでいてもよい。
【００１７】
前記筐体は、前記筐体の一部を構成する平板と、前記平板の端部と一体的に接続されており、内側に向かって傾斜する折返し板と、前記第１アンテナまたは前記第２アンテナの一部であって、前記折返し板を含む箇所に設けられたアンテナ素子と、を有し、前記アンテナ素子の周囲は電波透過性材料で構成されていてもよい。
【００１８】
また、本発明の第２態様に係る電子機器は、筺体と、前記筐体の縁に設けられたスピーカと、前記筐体の縁に設けられた第１アンテナと、前記筐体の縁に設けられた第２アンテナと、を備え、前記スピーカは前記第１アンテナと前記第２アンテナのとの間に配置され、前記第１アンテナと前記第２アンテナとを電磁的に遮断している。
【００１９】
さらに、本発明の第３態様に係る電子機器は、筐体と、前記筐体の一部を構成する平板と、前記平板の端部と一体的に接続されており、内側に向かって傾斜する折返し板と、前記折返し板を含む箇所に設けられたアンテナ素子と、を有し、前記アンテナ素子の周囲は電波透過性材料で構成されている。
【００２０】
前記筐体の内部に設けられるボックスを備え、前記ボックスは、前記平板と前記折返し板との間の隅部に入り込む介挿部と、前記介挿部に設けられた接続端子と、を有し、前記アンテナ素子と前記接続端子とは電気的に接続されていてもよい。
【発明の効果】
【００２１】
本発明の上記態様によれば、電子機器の筐体の内部でアンテナ及びスピーカを効率的に配置することができる。
【図面の簡単な説明】
【００２２】
【図１】図１は、一実施形態に係る電子機器の平面図である。
【図２】図２は、本体筐体の内部構造を模式的に示す底面図である。
【図３】図３は、上カバー、スピーカ・アンテナボックスを裏面側から見た分解斜視図である。
【図４】図４は、スピーカ・アンテナボックスの斜視図である。
【図５】図５は、スピーカ・アンテナボックスの分解斜視図である。
【図６】図６は、図２におけるＶＩ−ＶＩ線に沿う本体筐体の模式的な断面図である。
【図７】図７は、図２におけるＶＩＩ−ＶＩＩ線に沿う本体筐体の模式的な断面図である。
【図８】図８は、スピーカ・アンテナボックスの変形例を示す模式平面図である。
【発明を実施するための形態】
【００２３】
以下に、本発明にかかる電子機器の実施形態を図面に基づいて詳細に説明する。なお、この実施形態によりこの発明が限定されるものではない。
【００２４】
図１は、一実施形態に係る電子機器１０の平面図である。本実施形態では、電子機器１０としてノート型ＰＣを例示する。電子機器１０は、デスクトップ型ＰＣやタブレット型ＰＣ等でもよい。
【００２５】
図１に示すように、電子機器１０は、キーボード装置１２を有する本体筐体１４と、ディスプレイ装置１６を有するディスプレイ筐体１８とを備える。ディスプレイ筐体１８は、本体筐体１４の後端部に対して左右一対のヒンジ２０，２０を介して回動可能に連結されている。ディスプレイ装置１６は、例えば液晶ディスプレイである。ヒンジ２０は、後壁２２ｄに沿って配置されている。
【００２６】
図１は、ヒンジ２０によってディスプレイ筐体１８を本体筐体１４から開いて使用形態とした電子機器１０を上から見下ろした図である。以下、図１に示す使用形態とされた電子機器１０のディスプレイ装置１６を正面から視認する方向を基準とし、本体筐体１４について手前側を前、奥側を後、厚み方向を上下、幅方向を左右と呼んで説明する。また、本体筐体１４やこれに搭載される各部品について、本体筐体１４を平面的に見た状態で、外周側よりも中央側を内側、中央側よりも外周側を外側と呼んで説明する。なお、これらの方向は説明の便宜上のものである。従って、製品での各部品の配置や設置姿勢等により、例えば上記の上下方向や左右方向が反転することもある。
【００２７】
本体筐体１４は、上カバー２２と、下カバー２４とで形成された薄い箱状の筐体である。本体筐体１４は扁平形状で、平面視で略矩形である。上カバー２２は、本体筐体１４の上面および四周側面を構成したプレート状部材である。下カバー２４は、本体筐体１４の底面を構成したプレート状部材である。
【００２８】
図２は、本体筐体１４の内部構造を模式的に示す底面図であり、下カバー２４を取り外して本体筐体１４内を上カバー２２の内面側から見た図である。
【００２９】
図２に示すように、本体筐体１４の内部には、電子回路基板２６と、バッテリ装置２８と、左右一対のスピーカ・アンテナボックス３０Ｌ，３０Ｒとが収納されている。さらに、電子機器１０は、アンテナ（第２アンテナ）３２Ｌ，３２Ｒと、アンテナ（第１アンテナ）３４Ｌ，３４Ｒと、左右一対の高音スピーカ３６Ｌ，３６Ｒと、左右一対の低音スピーカ３８Ｌ，３８Ｒとを有する。以下、アンテナ３２Ｌおよび３２Ｒを代表的にアンテナ３２Ｌとも呼び、アンテナ３４Ｌおよび３４Ｒを代表的にアンテナ３４とも呼び、高音スピーカ３６Ｌおよび３６Ｒを代表的に高音スピーカ３６とも呼び、低音スピーカ３８Ｌおよび３８Ｒを代表的に低音スピーカ３８とも呼ぶ。
【００３０】
高音スピーカ３６はツイーターであって高音出力に適し、低音スピーカ３８はウーファーであって低音出力に適する。アンテナ３２Ｌとアンテナ３２Ｒとは配置上は左右対称で対になっているが、異なる仕様であってもよい。同様にアンテナ３４Ｌとアンテナ３４Ｒとは異なる仕様であってもよい。本体筐体１４の内部には、さらに、図示しない冷却モジュールやハードディスク装置等が収納されている。図２中の参照符号３７は、ヒンジ２０が配置される凹状部である。
【００３１】
アンテナ３２は、スピーカ・アンテナボックス３０に設けられた接続端子３２ａと、上カバー２２における側壁２２ｂまたは２２ｃを含み該側壁２２ｂ，２２ｃに沿って設けられるアンテナ素子３２ｂとを有する。アンテナ３４は、スピーカ・アンテナボックス３０に設けられた接続端子３４ａと、上カバー２２における前壁（折返し板）２２ａを含み、該前壁２２ａに沿って設けられるアンテナ素子３４ｂとを有する。上カバー２２および下カバー２４の大部分は、マグネシウム等の金属板やカーボン板などの電波遮蔽材で構成されているが、アンテナ素子３２ｂ，３４ｂの周囲の電波透過部６４，６５（図３参照）は樹脂等の電波透過性材料で構成されている。接続端子３２ａ，３４ａはそれぞれ１つでもよいし、複数でもよい。
【００３２】
電子機器１０では、角部４０Ｌ，４０Ｒ（図２参照）を形成する一方の辺である前壁２２ａに沿ってアンテナ素子３４ｂが設けられ、角部４０Ｌ，４０Ｒを形成する他方の辺である側壁２２ｂ，２２ｃに沿ってアンテナ素子３２ｂが設けられている。したがって、アンテナ３２とアンテナ３４とをバランスよく適度に離間して配置することができる。また、角部４０が有効利用される。アンテナ素子３４ｂは一部が側壁２２ｂ，２２ｃまで達している。
【００３３】
電子回路基板２６は、当該電子機器１０のマザーボードである。電子回路基板２６は、例えばＣＰＵ２６ａ、電源回路２６ｂ、メモリ２６ｃ等の各種電子部品が実装されたＰＣＢ（プリント基板）である。
【００３４】
図３は、上カバー２２、スピーカ・アンテナボックス３０Ｌ，３０Ｒを裏面側から見た分解斜視図である。
【００３５】
スピーカ・アンテナボックス３０Ｌは、アンテナ３２Ｌの一部と、アンテナ３４Ｌの一部と、高音スピーカ３６Ｌと、低音スピーカ３８Ｌとを有する。スピーカ・アンテナボックス３０Ｌは、側壁２２ｂと前壁２２ａとによって形成される角部４０Ｌを含む箇所に設けられており、側壁２２ｂおよび前壁２２ａに沿ったＬ字形状となっている。
【００３６】
スピーカ・アンテナボックス３０Ｒは、アンテナ３２Ｒの一部と、アンテナ３４Ｒの一部と、高音スピーカ３６Ｒと、低音スピーカ３８Ｒとを有する。スピーカ・アンテナボックス３０Ｒは、側壁２２ｃと前壁２２ａとによって形成される角部４０Ｒを含む箇所に設けられており、側壁２２ｃおよび前壁２２ａに沿ったＬ字形状となっている。
【００３７】
スピーカ・アンテナボックス３０Ｌとスピーカ・アンテナボックス３０Ｒとは略左右対称構造であることから、以下、図面上ではスピーカ・アンテナボックス３０Ｌを例にして説明する。
【００３８】
スピーカ・アンテナボックス３０はＬ字形状のボックス体４２をベースに構成されている。ボックス体４２は前壁２２ａに沿った第１延在部４２ａと、側壁２２ｂに沿った第２延在部４２ｂとから構成されている。第２延在部４２ｂは第１延在部４２ａよりもやや長い。ボックス体４２は、第１延在部４２ａおよび第２延在部４２ｂの各端部に取付片４２ｃを有する。取付片４２ｃは図示しないビスによって上カバー２２のボス４４に固定される。スピーカ・アンテナボックス３０は、キー孔群２２ｅと重ならない位置に固定される。スピーカ・アンテナボックス３０の第２延在部４２ｂにはキーボード装置１２との干渉を避ける段差部４３が形成されている。
【００３９】
第２延在部４２ｂには第１スピーカ孔４２ｄおよび第２スピーカ孔４２ｅ（図４および図５参照）が形成されている。第１スピーカ孔４２ｄはボックス体４２におけるＬ字屈曲部に近い箇所の下面に形成され、第２スピーカ孔４２ｅは第２延在部４２ｂの端部に近い箇所の上面に形成されている。スピーカ・アンテナボックス３０には、電子回路基板２６と接続するためのケーブル４５が設けられている。ケーブル４５の先端のコネクタ４５ａの数は少なく、例えば１〜４程度である。
【００４０】
図４はスピーカ・アンテナボックス３０の斜視図であり、図５はスピーカ・アンテナボックス３０の分解斜視図である。
【００４１】
図４および図５に示すように、高音スピーカ３６は第１スピーカ孔４２ｄを内側から塞ぐように設けられおり、その出力振動体（例えばコーン）は上方を向いている。高音スピーカ３６から出力される音は第１スピーカ孔４２ｄを通り、さらに上カバー２２に設けられた小孔群４６（図１参照）を通る。こうして高音スピーカ３６の音は上カバー２２の上面からユーザに向かって直接的に発せられ、聴き取りやすい。高音スピーカ３６は比較的ディスプレイ筐体１８に近く、ディスプレイ装置１６を見ているユーザは画像との一体感や臨場感が感じられる。
【００４２】
低音スピーカ３８は第２スピーカ孔４２ｅを内側から塞ぐように設けられおり、その出力振動体は下方を向いている。低音スピーカ３８から出力される音は第２スピーカ孔４２ｅを通り、さらに下カバー２４に設けられた小孔群（図示せず）を通る。こうして低音スピーカ３８の音は本体筐体１４の下側から発せられるが、低音は指向性が低いためユーザは十分に聴き取り可能である。また、低音スピーカ３８の出力振動体は低周波で振動することからある程度の大きい面積が必要であり、本体筐体１４にもそれに対応した孔が必要であるが、下面に形成することにより意匠上で目立たない。
【００４３】
第１スピーカ孔４２ｄは高音スピーカ３６で塞がれ、第２スピーカ孔４２ｅは低音スピーカ３８で塞がれていることから、スピーカ・アンテナボックス３０は密封型スピーカを形成している。ただし、仕様によっては例えばバックロードホーン型やバスレフ型にしてもよい。高音スピーカ３６および低音スピーカ３８とボックス体４２との間にはゴムなどの樹脂弾性体などでできた吸振体もしくは制振体を配置してもよい。高音スピーカ３６および低音スピーカ３８は、それぞれボックス体４２の一部の空間を用いて構成される。
【００４４】
第２延在部４２ｂにおける高音スピーカ３６の上下位置にはクッション４８ａおよびクッション４８ｂが貼り付けられている。クッション４８ａは四角枠形状で、第１スピーカ孔４２ｄを囲うように設けられている。クッション４８ｂはクッション４８ａと外形が等しい矩形であり、平面視でクッション４８ａと等しい位置に設けられている。
【００４５】
第２延在部４２ｂにおける低音スピーカ３８の上下位置にはクッション５０ａおよびクッション５０ｂが貼り付けられている。クッション５０ａは四角枠形状で、第２スピーカ孔４２ｅを囲うように設けられている。クッション５０ｂはクッション５０ａと外形が等しい矩形であり、平面視でクッション５０ａと等しい位置に設けられている。
【００４６】
クッション４８ａ，４８ｂ，５０ｂ，５０ｂは、例えば、スポンジ、ポリウレタン、ポロン（登録商標）などである。クッション４８ａ，４８ｂ，５０ｂ，５０ｂは、個々の樹脂発泡部が独立したものにすると音漏れを防止できる。クッション４８ａおよび５０ｂはボックス体４２と上カバー２２との間に介在し、クッション４８ｂおよび５０ｂはボックス体４２と下カバー２４との間に介在し、それぞれボックス体４２を弾性的に支持している。すなわち、ボックス体４２はクッション４８ａ，４８ｂと、クッション５０ａ，５０ｂと、２つの取付片４２ｃとによって支持される。低音スピーカ３８は２つの取付片４２ｃから適度に離れた箇所に設けられていることから主にクッション５０ａ，５０ｂによって支持されている。低音スピーカ３８は低周波の音を出力するため出力振動体の振幅が大きくなる傾向があるが、クッション５０ａ，５０ｂによって略フローティング状態となっており、振動が本体筐体１４に伝達することが抑制される。したがってユーザは振動を感じることがなく、しかも音質が向上する。
【００４７】
ボックス体４２には、さらにクッション５１およびクッション５３が設けられていてもよい。クッション５１はクッション４８ａ，４８ｂ〜クッション５０ａ，５０ｂの間で第２延在部４２ｂの三方（上面、下面および外面）を覆い、同様にクッション５３は第１延在部４２ａの三方を覆うように構成される。ただし、接続端子３２ａ，３４ａは露出されるようにする。以下の説明ではクッション５１および５３は省略する。
【００４８】
ボックス体４２は、第１延在部４２ａから第２延在部４２ｂにかけて天板５２ａと、底板５２ｂと、内板５２ｃと、外板５２ｄと、傾斜板５２ｅとを備え、さらに第１延在部４２ａおよび第２延在部４２ｂの端部は端板５２ｆで塞がれており、密封された箱形状である。取付片４２ｃは端板５２ｆに設けられている。天板５２ａは上カバー２２の内側面に対向し、底板５２ｂは下カバー２４の内側面に対向する。底板５２ｂは天板５２ａよりも幅が狭い。内板５２ｃは第１延在部４２ａから第２延在部４２ｂに沿ってボックス体４２の内側面を塞ぐＬ字形状の板である。同様に外板５２ｄはボックス体４２の外側に設けられたＬ字形状の板である。傾斜板５２ｅは底板５２ｂと外板５２ｄとを接続する傾斜した板である。
【００４９】
第１延在部４２ａは天板５２ａ、底板５２ｂ、内板５２ｃ、外板５２ｄおよび傾斜板５２ｅによる略五角形断面である。ただし、外板５２ｄは狭いためこれを無視すると略台形断面ともいえる。第２延在部４２ｂにおける第１延在部４２ａとの接続部、つまりＬ字屈曲部近傍は略五角形断面であるが、後方に向かって傾斜板５２ｅが狭くなっており、後方端部は天板５２ａ、底板５２ｂ、内板５２ｃおよび外板５２ｄによる略矩形断面となっている。
【００５０】
ボックス体４２は、例えば底板５２ｂ、内板５２ｃ、外板５２ｄおよび傾斜板５２ｅとからなる上面が開口した有底体に対して天板５２ａを接着または溶着などにより固定することにより密封構造としている。
【００５１】
ボックス体４２には、天板５２ａおよび底板５２ｂの内側縁に沿い、やや内側にはみ出しながらシールド部材５４が設けられている（図６参照）。シールド部材５４は、端板５２ｆも囲っている。シールド部材５４は、電磁波ノイズをシールド可能であって、且つ柔軟性を有する材料、例えば導電性クッション状部材で形成されている。導電性クッション状部材としては、例えば、銅に錫めっきを施した材料で形成したスポンジや、ポリエチレン等の樹脂にカーボンを練り込んだスポンジ等を挙げられる。
【００５２】
接続端子３２ａは第２延在部４２ｂにおける外凹部５６ａに設けられ、接続端子３４ａは第１延在部４２ａにおける外凹部５６ｂに設けられている。第２延在部４２ｂにおける高音スピーカ３６と接続端子３２ａとの間は仕切板５７で仕切られている。仕切板５７は高音スピーカ３６と低音スピーカ３８とを仕切り、音質を向上させる。第２延在部４２ｂは仕切板５７の位置により、高音スピーカ３６のチャンバもまかなうことができる。
【００５３】
図６は、図２におけるＶＩ−ＶＩ線に沿う本体筐体１４の模式的な断面図である。図６に示すように、前壁２２ａは上カバー２２の前端部から斜め下方に向かう折り返し板である。このように前壁２２ａが傾斜していることにより鋭角的なイメージがあり意匠上の効果があり、さらに前壁２２ａに設けられたアンテナ素子３４ｂが目立たなくなる。また、前壁２２ａは上カバー２２の上面板２２ｆと一体的に構成されており、上方からは上カバー２２と下カバー２４との接続部が目立たなくなる。アンテナ素子３４ｂの周囲は電波透過部６５で構成されていることから、該アンテナ素子３４ｂは広い角度範囲に対して電波の送受信が可能である。
【００５４】
前壁２２ａと傾斜板５２ｅとはほぼ平行になっており、その間の隙間は狭い。前壁２２ａと上面板２２ｆとは鋭角に接続された隅部５８を形成している。隅部５８は上下を上面板２２ｆと前壁２２ａとで挟まれた領域である。ボックス体４２は、第１延在部４２ａにおける外板５２ｄと、傾斜板５２ｅのほぼ全部と、天板５２ａの前方端部とからなる介挿部５９が隅部５８に入り込んでいる。
【００５５】
接続端子３４ａは金属のスプリング３４ａａを備えている。スプリング３４ａａは先端が湾曲したフック状の板ばねであり、前方に突出しており、その先端がアンテナ素子３４ｂに対して弾性的に接触している。接続端子３４ａは図示しないアンテナ基板や配線を介して電子回路基板２６に接続されている。外板５２ｄにはアンテナ３４の一部として、アンテナ素子３４ｃを設けてもよい。アンテナ素子３４ｃは、例えばめっきや印刷によって外板５２ｄに対してアンテナパターンを形成することにより得られる。アンテナ素子３４ｃを設ける場合、アンテナ素子３４ｂは省略してもよい。スプリング３４ａａはアンテナ素子３４ｂから内側に向かって突出して接続端子３４ａに接触していてもよい。
【００５６】
一般的な筐体において隅部５８のような箇所はデッドスペースとなるが、電子機器１０ではボックス体４２の一部が入り込むことによって有効利用されている。すなわち、ボックス体４２の内部空洞の容積を大きくすることができ、低音スピーカ３８の音質を向上させることができる。また、接続端子３４ａとアンテナ素子３４ｂとの距離が狭まり、スプリング３４ａａを短くすることができる。
【００５７】
ボックス体４２の内板５２ｃにはシールド部６０が設けられている。シールド部６０は、電磁波ノイズをシールド可能な材料、例えば導電性を持った金属板、またはメッキ層として形成されている。シールド部６０はボックス体４２のアンテナが形成されていない面、つまり内板５２ｃに設けられる。シールド部６０は、さらに天板５２ａの内側縁、底板５２ｂの内側縁および端板５２ｆにも設けられるとよい。
【００５８】
上記の通り、シールド部材５４は天板５２ａおよび底板５２ｂの内側縁に沿って設けられている。シールド部材５４は天板５２ａと上面板２２ｆとの間、および底板５２ｂと下カバー２４との間で適度に圧縮されてボックス体４２を弾性的に支持するとともに、シールド部６０と上面板２２ｆおよび下カバー２４とを電気的に導通させる。つまりシールド部６０はグランドされる。
【００５９】
従って、ボックス体４２は、ＣＰＵ２６ａ等の電磁波発生源に対してアンテナ３４がシールド部材５４およびシールド部６０によって電磁波シールドされた状態で本体筐体１４の内部に設置されている。シールド部６０はグランド強化のために補助グランド線６２により上面板２２ｆと接続してもよい。
【００６０】
図７は、図２におけるＶＩＩ−ＶＩＩ線に沿う本体筐体１４の模式的な断面図である。図７では仕切板５７を省略している。図７に示すように、側壁２２ｂは上面板２２ｆの端部から下方に立設する縦壁２２ｂａと、該縦壁２２ｂａの下端からさらに斜め下方に向かう傾斜壁（折返し板）２２ｂｂとから構成されている。アンテナ素子３２ｂは縦壁２２ｂａと傾斜壁２２ｂｂとの間に設けられている。アンテナ素子３２ｂの周囲は電波透過部６４で構成されていることから、該アンテナ素子３２ｂは広い角度範囲に対して電波の送受信が可能である。傾斜壁２２ｂｂと傾斜板５２ｅとはほぼ平行になっており、その間の隙間は狭い。
【００６１】
図７における接続端子３２ａ、スプリング３２ａａ、アンテナ素子３２ｂは、図６における接続端子３４ａ、スプリング３４ａａ、アンテナ素子３４ｂに相当し、同様の作用がある。図７におけるアンテナ素子３４ｃのように、外板５２ｄにはアンテナ素子３２ｃを設けてもよい。
【００６２】
図７に示すように、上面板２２ｆと傾斜壁２２ｂｂとの間には隅部５８が存在する。ボックス体４２は第２延在部４２ｂにおける外板５２ｄと、傾斜板５２ｅのほぼ全部と、天板５２ａの前方端部とからなる介挿部５９が隅部５８に入り込んでいて、デッドスペースが有効利用されている。また、外板５２ｄとアンテナ素子３２ｂとが接近し、スプリング３２ａａを短くすることができる。第２延在部４２ｂにおいても第１延在部４２ａと同様に内板５２ｃにシールド部６０が設けられており、該シールド部６０はシールド部材５４によって上面板２２ｆおよび下カバー２４と電気的に接続されており、電磁波のシールド作用がある。
【００６３】
第２延在部４２ｂにおいて高音スピーカ３６が設けられる箇所は上下にクッション４８ａおよび４８ｂが設けられており、それぞれ上面板２２ｆおよび下カバー２４との間で適度に圧縮されている。また、図示を省略するが、低音スピーカ３８が設けられる箇所は上下にクッション５０ａおよび５０ｂが設けられており、それぞれ上面板２２ｆおよび下カバー２４との間で適度に圧縮されている。これにより第２延在部４２ｂが適切に支持される。
【００６４】
このように構成される電子機器１０のスピーカ・アンテナボックス３０では、低音スピーカ３８がアンテナ３２の少なくとも一部とアンテナ３４の少なくとも一部との間に配置されている。したがって、アンテナ３２とアンテナ３４とが適度に離間して配置され相互干渉が少ない。また、その間に設けられる低音スピーカ３８には金属部が含まれており、アンテナ３２とアンテナ３４とを電磁的に遮断することができ、一種のアイソレータとなる。また、アンテナ３２とアンテナ３４との遮断には、特に他の機器は不要である。
【００６５】
また、スピーカ・アンテナボックス３０においてアンテナ３２およびアンテナ３４が設けられる箇所はほとんどが空洞であり、低音スピーカ３８のバックチャンバとして機能し、音質が向上する。
【００６６】
スピーカ・アンテナボックス３０において第１延在部４２ａはアンテナ素子３４ｂに沿って長く延在しており、内板５２ｃに設けられたシールド部６０（図６参照）がアンテナ素子３４ｂに対する電磁シールドとなる。また、第１延在部４２ａはアンテナ素子３４ｂに応じて長くなっていることから、低音スピーカ３８のバックチャンバ容量を相当に大きく確保することができる。
【００６７】
スピーカ・アンテナボックス３０はＬ字形状であり、前壁２２ａおよび側壁２２ｂ又は２２ｃに沿って配置されていることから、角部４０が位置決めされて安定する。
【００６８】
スピーカ・アンテナボックス３０にはさらに高音スピーカ３６が設けられている。したがって、アンテナ３２の少なくとも一部，アンテナ３４の少なくとも一部，高音スピーカ３６および低音スピーカ３８が一体的なユニットとなり、本体筐体１４への取り付けが容易である。スピーカ・アンテナボックス３０は、２つの取付片４２ｃだけで本体筐体１４に取り付けることができる。高音スピーカ３６はアンテナ３４よりもさらに奥に設けられ、ディスプレイ筐体１８に近いレイアウトとなる。
【００６９】
スピーカ・アンテナボックス３０によれば、２か所の取付片４２ｃを上カバー２２に固定するだけでアンテナ３２，３４、高音スピーカ３６および低音スピーカ３８の位置決めがなされる。つまり、アンテナ３２の接続端子３２ａとアンテナ素子３２ｂとの間、アンテナ３４の接続素子３４ａとアンテナ素子３４ｂとの間、高音スピーカ３６と小孔群４６（図１参照）との間、および低音スピーカ３８と低音用の出力孔（図示せず）との間の相対的位置決めがそれぞれ自動的に行われる。また、アンテナ３２，３４、高音スピーカ３６および低音スピーカ３８の信号線はケーブル４５（図３参照）にまとめられており、その先端のコネクタ４５ａは１〜３程度であることから、該ケーブル４５の配索と電子回路基板２６への接続が容易である。これらにより、生産工程における電子機器１０の組立性が向上する。
【００７０】
仕様によっては、スピーカ・アンテナボックス３０は、高音スピーカ３６および低音スピーカ３８を低音から高音まで出力可能な１つのスピーカで置き換えてもよい。この場合、該スピーカは低音スピーカ３８の位置、つまりアンテナ３２とアンテナ３４との間に配置するとよい。
【００７１】
また、電子機器１０のスピーカ・アンテナボックス３０は、隅部５８に入り込む介挿部５９を備え、該介挿部５９には接続端子３２ａ，３４ａが設けられている。アンテナ素子３２ａ，３４ｂと接続端子３２ａ，３４ａとはスプリング３２ａａ、３４ａａにより電気的に接続されている。これにより、隅部５８が有効利用されるとともに、アンテナ素子３２ａ，３４ｂと接続端子３２ａ，３４ａとを近い位置で接続させることができる。アンテナ素子３２ａ，３４ｂと接続端子３２ａ，３４ａとの電気的接続はスプリング３２ａａ、３４ａａに限らず、例えばスクリューやポゴピンなどを用いてもよい。
【００７２】
なお、アンテナ３２とアンテナ３４との相互干渉防止を目的とし、低音スピーカ３８のチャンバ容量が特に必要ない場合には、図８に示すようなボックス群６６を用いてもよい。ボックス群６６は、スピーカ・アンテナボックス３０に代わって設けられるもので、第１ボックス６６ａ、第２ボックス６６ｂ、第３ボックス６６ｃおよび第４ボックス６６ｄから構成されており、それぞれは独立的なものであって取付片４２ｃで上カバー２２に取り付けられる。
【００７３】
第１ボックス６６ａは、上記の第１延在部４２ａに相当するもので、アンテナ３４の一部である接続端子３４ａを備えている。第２ボックス６６ｂ、第３ボックス６６ｃおよび第４ボックス６６ｄは上記の第２延在部４２ｂに相当する。第２ボックス６６ｂは低音スピーカ３８を備え、第３ボックス６６ｃはアンテナ３２の一部である接続端子３２ａを備え、第４ボックス６６ｄは高音スピーカ３６を備えている。この場合、シールド部６０は少なくとも第１ボックス６６ａおよび第３ボックス６６ｃに設ければよい。このようなボックス群６６では、上記のスピーカ・アンテナボックス３０と同様に、アンテナ３２とアンテナ３４との間に低音スピーカ３８が設けられていることから、適度な距離が確保されて相互干渉が抑制される。また、アンテナ３２とアンテナ３４とは低音スピーカ３８の金属部によって電磁的に遮断される。
【００７４】
本発明は、上記した実施形態に限定されるものではなく、本発明の主旨を逸脱しない範囲で自由に変更できることは勿論である。
【符号の説明】
【００７５】
１０  電子機器
１２  キーボード装置
１４  本体筐体（筐体）
１６  ディスプレイ装置
１８  ディスプレイ筐体
２２  上カバー
２２ａ  前壁（第２辺、折返し板）
２２ｂ，２２ｃ  側壁（第１辺）
２２ｆ  上面板（平板）
２２ｂａ  縦壁
２２ｂｂ  傾斜壁
２４  下カバー
３０，３０Ｌ，３０Ｒ  スピーカ・アンテナボックス（ボックス）
３２，３２Ｌ，３２Ｒ  アンテナ（第１アンテナ）
３２ａ，３４ａ  接続端子
３２ｂ，３２ｃ，３４ｂ，３４ｃ  アンテナ素子
３２ａａ，３４ａａ  スプリング
３４，３４Ｌ，３４Ｒ  アンテナ（第２アンテナ）
３６，３６Ｌ，３６Ｒ  高音スピーカ
３８，３８Ｌ，３８Ｒ  低音スピーカ
４０，４０Ｌ，４０Ｒ  角部
４２  ボックス体
４２ａ  第１延在部
４２ｂ  第２延在部
４８ａ，４８ｂ，５０ａ，５０ｂ，５１，５３  クッション
５２ａ  天板
５２ｂ  底板
５２ｃ  内板（内面）
５２ｄ  外板
５２ｅ  傾斜板
５２ｆ  端板
５４  シールド部材
５７  仕切板
５８  隅部
５９  介挿部
６０  シールド部
６４，６５  電波透過部
【図１】
2020140406.tif 000003
【図２】
2020140406.tif 000004
【図３】
2020140406.tif 000005
【図４】
2020140406.tif 000006
【図５】
2020140406.tif 000007
【図６】
2020140406.tif 000008
【図７】
2020140406.tif 000009
【図８】
2020140406.tif 000010